(57)【特許請求の範囲】
【請求項１】
基地局間キャリアアグリゲーションによりユーザ装置と通信を行う第１の基地局及び第２の基地局を備える移動通信システムにおける前記ユーザ装置であって、
前記ユーザ装置と前記第１の基地局との間の第１の無線品質と、前記ユーザ装置と前記第２の基地局との間の第２の無線品質とを取得する無線品質取得部と、
前記第１の基地局における負荷情報である第１の負荷情報と、前記第２の基地局における負荷情報である第２の負荷情報とを取得する負荷情報取得部と、
前記無線品質取得部により取得された前記第１及び第２の無線品質と、前記負荷情報取得部により取得された前記第１及び第２の負荷情報とを用いて、前記ユーザ装置が、上りデータを前記第１の基地局と前記第２の基地局に分割して送信するために使用する分割比率を算出する比率算出部と
を備えることを特徴とするユーザ装置。
【請求項２】
基地局間キャリアアグリゲーションによりユーザ装置と通信を行う第１の基地局及び第２の基地局を備える移動通信システムにおける前記ユーザ装置であって、
前記ユーザ装置から前記第１の基地局へのデータ送信のレートである第１の送信レートと、前記ユーザ装置から前記第２の基地局へのデータ送信のレートである第２の送信レートとを取得する送信レート取得部と、
前記送信レート取得部により取得された前記第１及び第２の送信レートを用いて、前記ユーザ装置が、上りデータを前記第１の基地局と前記第２の基地局に分割して送信するために使用する分割比率を算出する比率算出部と
を備えることを特徴とするユーザ装置。
【請求項３】
前記ユーザ装置と前記第１の基地局との間の第１の無線品質と、前記ユーザ装置と前記第２の基地局との間の第２の無線品質とを取得する無線品質取得部と、
前記第１の基地局における負荷情報である第１の負荷情報と、前記第２の基地局における負荷情報である第２の負荷情報とを取得する負荷情報取得部と、を更に備え、
前記比率算出部は、前記無線品質取得部により取得された前記第１及び第２の無線品質と、前記負荷情報取得部により取得された前記第１及び第２の負荷情報と、前記送信レート取得部により取得された前記第１及び第２の送信レートを用いて、前記分割比率を算出する
ことを特徴とする請求項２に記載のユーザ装置。
【請求項４】
基地局間キャリアアグリゲーションによりユーザ装置と通信を行う第１の基地局及び第２の基地局を備える移動通信システムにおける前記第１の基地局に対応する基地局であって、
前記ユーザ装置と前記第１の基地局との間の第１の無線品質と、前記ユーザ装置と前記第２の基地局との間の第２の無線品質とを取得する無線品質取得部と、
前記第１の基地局における負荷情報である第１の負荷情報と、前記第２の基地局における負荷情報である第２の負荷情報とを取得する負荷情報取得部と、
前記無線品質取得部により取得された前記第１及び第２の無線品質と、前記負荷情報取得部により取得された前記第１及び第２の負荷情報とを用いて、前記ユーザ装置が、上りデータを前記第１の基地局と前記第２の基地局に分割して送信するために使用する分割比率を算出する比率算出部と、
前記比率算出部により算出した前記分割比率を前記ユーザ装置に送信する送信部と
を備えることを特徴とする基地局。
【請求項５】
基地局間キャリアアグリゲーションによりユーザ装置と通信を行う第１の基地局及び第２の基地局を備える移動通信システムにおける前記第１の基地局に対応する基地局であって、
前記ユーザ装置から前記第１の基地局へのデータ送信のレートである第１の送信レートと、前記ユーザ装置から前記第２の基地局へのデータ送信のレートである第２の送信レートとを取得する送信レート取得部と、
前記送信レート取得部により取得された前記第１及び第２の送信レートを用いて、前記ユーザ装置が、上りデータを前記第１の基地局と前記第２の基地局に分割して送信するために使用する分割比率を算出する比率算出部と、
前記比率算出部により算出した前記分割比率を前記ユーザ装置に送信する送信部と
を備えることを特徴とする基地局。
【請求項６】
前記ユーザ装置と前記第１の基地局との間の第１の無線品質と、前記ユーザ装置と前記第２の基地局との間の第２の無線品質とを取得する無線品質取得部と、
前記第１の基地局における負荷情報である第１の負荷情報と、前記第２の基地局における負荷情報である第２の負荷情報とを取得する負荷情報取得部と、を更に備え、
前記比率算出部は、前記無線品質取得部により取得された前記第１及び第２の無線品質と、前記負荷情報取得部により取得された前記第１及び第２の負荷情報と、前記送信レート取得部により取得された前記第１及び第２の送信レートを用いて、前記分割比率を算出する
ことを特徴とする請求項５に記載の基地局。
【請求項７】
基地局間キャリアアグリゲーションによりユーザ装置と通信を行う第１の基地局及び第２の基地局を備える移動通信システムにおける前記ユーザ装置が実行する上りデータ分割比率算出方法であって、
前記ユーザ装置と前記第１の基地局との間の第１の無線品質と、前記ユーザ装置と前記第２の基地局との間の第２の無線品質とを取得する無線品質取得ステップと、
前記第１の基地局における負荷情報である第１の負荷情報と、前記第２の基地局における負荷情報である第２の負荷情報とを取得する負荷情報取得ステップと、
前記無線品質取得ステップにより取得された前記第１及び第２の無線品質と、前記負荷情報取得ステップにより取得された前記第１及び第２の負荷情報とを用いて、前記ユーザ装置が、上りデータを前記第１の基地局と前記第２の基地局に分割して送信するために使用する分割比率を算出する比率算出ステップと
を備えることを特徴とする上りデータ分割比率算出方法。
【請求項８】
基地局間キャリアアグリゲーションによりユーザ装置と通信を行う第１の基地局及び第２の基地局を備える移動通信システムにおける前記ユーザ装置が実行する上りデータ分割比率算出方法であって、
前記ユーザ装置から前記第１の基地局へのデータ送信のレートである第１の送信レートと、前記ユーザ装置から前記第２の基地局へのデータ送信のレートである第２の送信レートとを取得する送信レート取得ステップと、
前記送信レート取得ステップにより取得された前記第１及び第２の送信レートを用いて、前記ユーザ装置が、上りデータを前記第１の基地局と前記第２の基地局に分割して送信するために使用する分割比率を算出する比率算出ステップと
を備えることを特徴とする上りデータ分割比率算出方法。
【請求項９】
基地局間キャリアアグリゲーションによりユーザ装置と通信を行う第１の基地局及び第２の基地局を備える移動通信システムにおける前記第１の基地局に対応する基地局が実行する上りデータ分割比率提供方法であって、
前記ユーザ装置と前記第１の基地局との間の第１の無線品質と、前記ユーザ装置と前記第２の基地局との間の第２の無線品質とを取得する無線品質取得ステップと、
前記第１の基地局における負荷情報である第１の負荷情報と、前記第２の基地局における負荷情報である第２の負荷情報とを取得する負荷情報取得ステップと、
前記無線品質取得ステップにより取得された前記第１及び第２の無線品質と、前記負荷情報取得ステップにより取得された前記第１及び第２の負荷情報とを用いて、前記ユーザ装置が、上りデータを前記第１の基地局と前記第２の基地局に分割して送信するために使用する分割比率を算出する比率算出ステップと、
前記比率算出ステップにより算出した前記分割比率を前記ユーザ装置に送信する送信ステップと
を備えることを特徴とする上りデータ分割比率提供方法。
【請求項１０】
基地局間キャリアアグリゲーションによりユーザ装置と通信を行う第１の基地局及び第２の基地局を備える移動通信システムにおける前記第１の基地局に対応する基地局が実行する上りデータ分割比率提供方法であって、
前記ユーザ装置から前記第１の基地局へのデータ送信のレートである第１の送信レートと、前記ユーザ装置から前記第２の基地局へのデータ送信のレートである第２の送信レートとを取得する送信レート取得ステップと、
前記送信レート取得ステップにより取得された前記第１及び第２の送信レートを用いて、前記ユーザ装置が、上りデータを前記第１の基地局と前記第２の基地局に分割して送信するために使用する分割比率を算出する比率算出ステップと、
前記比率算出ステップにより算出した前記分割比率を前記ユーザ装置に送信する送信すステップと
を備えることを特徴とする上りデータ分割比率提供方法。
【発明の詳細な説明】
【技術分野】
【０００１】
本発明は、移動通信システムにおいて、ユーザ装置が複数の基地局にデータを送信する技術に関連するものである。
【背景技術】
【０００２】
ＬＴＥシステムでは、複数のコンポーネントキャリア（以下、ＣＣ）を同時に使用して通信を可能とするキャリアアグリゲーション（以下、ＣＡ）が導入されている。図１に示すように、ＬＴＥのＲｅｌ−１０までのＣＡでは、同一基地局ｅＮＢ配下の複数のＣＣを用いて同時通信を行うことで高スループットを実現することが可能である。【０００３】
一方、Ｒｅｌ−１２ではこれをさらに拡張し、異なる基地局ｅＮＢ配下のＣＣを用いて同時通信を行い、高スループットを実現するＤｕａｌ  ｃｏｎｎｅｃｔｉｖｉｔｙ（二重接続）が提案されている（非特許文献１）。つまり、Ｄｕａｌ  ｃｏｎｎｅｃｔｉｖｉｔｙでは、ユーザ装置ＵＥは、２つの物理的に異なる基地局ｅＮＢの無線リソースを同時に使用して通信を行う。【０００４】
Ｄｕａｌ  ｃｏｎｎｅｃｔｉｖｉｔｙは、Ｉｎｔｅｒ  ｅＮＢ  ＣＡ（基地局間キャリアアグリゲーション）とも呼ばれ、Ｍａｓｔｅｒ−ｅＮＢ（ＭｅＮＢ）と、Ｓｅｃｏｎｄａｒｙ−ｅＮＢ（ＳｅＮＢ）が導入される。図２に、Ｄｕａｌ  ｃｏｎｎｅｃｔｉｖｉｔｙの例を示す。図２の例では、ＭｅＮＢがＣＣ＃１でユーザ装置ＵＥと通信を行い、ＳｅＮＢがＣＣ＃２でユーザ装置ＵＥと通信を行うことでＤｕａｌ  ｃｏｎｎｅｃｔｉｖｉｔｙを実現している。【０００５】
Ｄｕａｌ  ｃｏｎｎｅｃｔｉｖｉｔｙにおいて、ＭｅＮＢ配下のセル（１つ又は複数）をＭＣＧ（Ｍａｓｔｅｒ  Ｃｅｌｌ  Ｇｒｏｕｐ、マスターセルグループ）、ＳｅＮＢ配下のセル（１つ又は複数）をＳＣＧ（Ｓｅｃｏｎｄａｒｙ  Ｃｅｌｌ  Ｇｒｏｕｐ、セカンダリセルグループ）と呼ぶ。
【先行技術文献】
【非特許文献】
【０００６】
【非特許文献１】３ＧＰＰ  ＴＲ  ３６．８４２  Ｖ１２．０．０  （２０１３−１２）
【発明の概要】
【発明が解決しようとする課題】
【０００７】
図２に示すＤｕａｌ  ｃｏｎｎｅｃｔｉｖｉｔｙにおいては、１つのベアラのデータ（パケットと言い換えてもよい）をユーザ装置ＵＥが複数の基地局に送信する上りリンクベアラ分割（ＵＬ  ｂｅａｒｅｒ  ｓｐｌｉｔ）の技術が検討されている。なお、ベアラとは、パケットの論理的な通信路である。【０００８】
図３に、図２に示すＤｕａｌ  ｃｏｎｎｅｃｔｉｖｉｔｙにおける上りリンクのベアラ分割の例を示す。図３の例では、ユーザ装置ＵＥは、１つのベアラのデータのうちの一部（特定の比率）のデータをＣＣ＃１で基地局ＭｅＮＢに送信し、残りのデータをＣＣ＃２で基地局ＳｅＮＢに送信する。また、図３の例では、基地局ＳｅＮＢはＣＣ＃２で受信したデータを基地局ＭｅＮＢに送信し、基地局ＭｅＮＢがデータをコアネットワーク１０へ転送する。【０００９】
ＬＴＥにおける無線インタフェースプロトコルは、ＰＨＹ（Ｐｈｙｓｉｃａｌ）、ＭＡＣ（Ｍｅｄｉａ  Ａｃｃｅｓｓ  Ｃｏｎｔｒｏｌ）、ＲＬＣ（Ｒａｄｉｏ  Ｌｉｎｋ  Ｃｏｎｔｒｏｌ）、ＰＤＣＰ（Ｐａｃｋｅｔ  Ｄａｔａ  Ｃｏｎｖｅｒｇｅｎｃｅ  Ｐｒｏｔｏｃｏｌ）から構成され、ユーザ装置ＵＥはそれぞれのエンティティ（該当プロトコルを処理する機能部）を有する。ＵＬベアラ分割においては、図４に示すように、ＰＤＣＰエンティティにおいて１つのベアラのデータ（ＰＤＣＰ  ＰＤＵ）が分割され、一方のデータは、基地局ＭｅＮＢへの送信のための処理を行うＲＬＣ／ＭＡＣエンティティに渡され、他方のデータは基地局ＳｅＮＢへの送信のための処理を行うＲＬＣ／ＭＡＣエンティティに渡される。以下の説明において、符号「１」を付した場合はそれが基地局ＭｅＮＢ向けの値であり、「２」を付した場合はそれが基地局ＳｅＮＢ向けの値であるとする。【００１０】
ここで、例えば、ＵＬ送信するＰＤＣＰデータのデータ量がＸであり、基地局ＭｅＮＢにＵＬ送信するＲＬＣデータのデータ量がＹ１であり、基地局ＳｅＮＢにＵＬ送信するＲＬＣデータのデータ量がＹ２であるとする。また、ＰＤＣＰデータの分割比率（以降、比率と呼ぶ）をαとする。この比率αは、基地局ＭｅＮＢと基地局ＳｅＮＢに送信する合計のデータ量に対して、基地局ＭｅＮＢに送信するデータ量の割合である。以降の説明でも同様である。ただし、このように比率を定義することは一例に過ぎない。【００１１】
この場合、基地局ＭｅＮＢに送信するデータのデータ量（バッファサイズ）はαＸ＋Ｙ１になり、基地局ＳｅＮＢに送信するデータ量（バッファサイズ）は（１−α）Ｘ＋Ｙ２になる。【００１２】
上記のように比率αを設定することで、ＵＬベアラ分割を行う場合における、基地局ＭｅＮＢと基地局ＳｅＮＢに対するデータの割り振りを比率αに従って行うことができるが、当該比率を適切に算出し、設定する従来技術は存在しない。そのため、ユーザ装置ＵＥが適切な配分でＵＬデータ滞留量を各基地局に報告できない可能性があり、その場合、割り当てリソース不足や、リソースの過剰割り当てを招きＵＬスループットの劣化やリソース利用効率の低下を招く。【００１３】
本発明は上記の点に鑑みてなされたものであり、ユーザ装置が、上りデータを第１の基地局と第２の基地局に分割して送信する際に使用する分割比率を適切に算出することを可能とする技術を提供することを目的とする。
【課題を解決するための手段】
【００１４】
本発明の実施の形態によれば、基地局間キャリアアグリゲーションによりユーザ装置と通信を行う第１の基地局及び第２の基地局を備える移動通信システムにおける前記ユーザ装置であって、
前記ユーザ装置と前記第１の基地局との間の第１の無線品質と、前記ユーザ装置と前記第２の基地局との間の第２の無線品質とを取得する無線品質取得部と、
前記第１の基地局における負荷情報である第１の負荷情報と、前記第２の基地局における負荷情報である第２の負荷情報とを取得する負荷情報取得部と、
前記無線品質取得部により取得された前記第１及び第２の無線品質と、前記負荷情報取得部により取得された前記第１及び第２の負荷情報とを用いて、前記ユーザ装置が、上りデータを前記第１の基地局と前記第２の基地局に分割して送信するために使用する分割比率を算出する比率算出部とを備えるユーザ装置が提供される。【００１５】
また、本発明の実施の形態によれば、基地局間キャリアアグリゲーションによりユーザ装置と通信を行う第１の基地局及び第２の基地局を備える移動通信システムにおける前記ユーザ装置であって、
前記ユーザ装置から前記第１の基地局へのデータ送信のレートである第１の送信レートと、前記ユーザ装置から前記第２の基地局へのデータ送信のレートである第２の送信レートとを取得する送信レート取得部と、
前記送信レート取得部により取得された前記第１及び第２の送信レートを用いて、前記ユーザ装置が、上りデータを前記第１の基地局と前記第２の基地局に分割して送信するために使用する分割比率を算出する比率算出部とを備えるユーザ装置が提供される。【００１６】
また、本発明の実施の形態によれば、基地局間キャリアアグリゲーションによりユーザ装置と通信を行う第１の基地局及び第２の基地局を備える移動通信システムにおける前記第１の基地局に対応する基地局であって、
前記ユーザ装置と前記第１の基地局との間の第１の無線品質と、前記ユーザ装置と前記第２の基地局との間の第２の無線品質とを取得する無線品質取得部と、
前記第１の基地局における負荷情報である第１の負荷情報と、前記第２の基地局における負荷情報である第２の負荷情報とを取得する負荷情報取得部と、
前記無線品質取得部により取得された前記第１及び第２の無線品質と、前記負荷情報取得部により取得された前記第１及び第２の負荷情報とを用いて、前記ユーザ装置が、上りデータを前記第１の基地局と前記第２の基地局に分割して送信するために使用する分割比率を算出する比率算出部と、
前記比率算出部により算出した前記分割比率を前記ユーザ装置に送信する送信部とを備える基地局が提供される。【００１７】
また、本発明の実施の形態によれば、基地局間キャリアアグリゲーションによりユーザ装置と通信を行う第１の基地局及び第２の基地局を備える移動通信システムにおける前記第１の基地局に対応する基地局であって、
前記ユーザ装置から前記第１の基地局へのデータ送信のレートである第１の送信レートと、前記ユーザ装置から前記第２の基地局へのデータ送信のレートである第２の送信レートとを取得する送信レート取得部と、
前記送信レート取得部により取得された前記第１及び第２の送信レートを用いて、前記ユーザ装置が、上りデータを前記第１の基地局と前記第２の基地局に分割して送信するために使用する分割比率を算出する比率算出部と、
前記比率算出部により算出した前記分割比率を前記ユーザ装置に送信する送信部とを備える基地局が提供される。
【発明の効果】
【００１８】
本発明の実施の形態によれば、ユーザ装置が、上りデータを第１の基地局と第２の基地局に分割して送信する際に使用する分割比率を適切に算出することが可能となる。
【図面の簡単な説明】
【００１９】
【図１】Ｒｅｌ−１０までのＣＡを示す図である。
【図２】Ｄｕａｌ  Ｃｏｎｎｅｃｔｉｖｉｔｙの例を示す図である。
【図３】Ｄｕａｌ  Ｃｏｎｎｅｃｔｉｖｉｔｙにおけるベアラ分割の例を示す図である。
【図４】課題を説明するための図である。
【図５】本発明の実施の形態に係る通信システムの構成例を示す図である。
【図６】第１の実施の形態におけるユーザ装置ＵＥの機能の概要を示す図である。
【図７】第１の実施の形態における例１−１を説明するための図である。
【図８】基地局からユーザ装置ＵＥへロード情報を通知する際のｐｒｏｈｉｂｉｔＴｉｍｅｒ動作を説明するための図である。
【図９】第１の実施の形態における例１−２を説明するための図である。
【図１０】例１−２における比率αの遷移の例を示す図である。
【図１１】第１の実施の形態における例１−３を説明するための図である。
【図１２】例１−３における比率αの遷移の例を示す図である。
【図１３】第２の実施の形態における例２−１を説明するための図である。
【図１４】第２の実施の形態における例２−２を説明するための図である。
【図１５】第２の実施の形態における例２−３を説明するための図である。
【図１６】ユーザ装置ＵＥの機能構成図である。
【図１７】ユーザ装置ＵＥの動作を示すフローチャートである。
【図１８】基地局ＭｅＮＢの機能構成図である。
【図１９】基地局ＭｅＮＢの動作を示すフローチャートである。
【発明を実施するための形態】
【００２０】
以下、図面を参照して本発明の実施の形態を説明する。なお、以下で説明する実施の形態は一例に過ぎず、本発明が適用される実施の形態は、以下の実施の形態に限られるわけではない。例えば、本実施の形態の通信システムは、ＬＴＥに対応していることを想定しているが、本発明はＬＴＥに限らず、他の方式にも適用可能である。また、本明細書及び特許請求の範囲では、特に断らない限り、「ＬＴＥ」の用語は３ＧＰＰのＲｅｌ−１２、もしくは、Ｒｅｌ−１２以降の方式の意味で使用する。
【００２１】
（通信システム全体構成例）
図５に本発明の実施の形態（第１の実施の形態と第２の実施の形態に共通）に係る移動通信システムの構成例を示す。図５に示すように、本実施の形態に係る移動通信システムは、それぞれコアネットワーク１０に接続される基地局ＭｅＮＢと基地局ＳｅＮＢを備え、ユーザ装置ＵＥとの間でＤｕａｌ  ｃｏｎｎｅｃｔｉｖｉｔｙを可能としている。また、基地局ＭｅＮＢと基地局ＳｅＮＢとの間は、例えばＸ２インターフェースにより通信可能である。
【００２２】
本実施の形態では、ユーザ装置ＵＥがＵＬ送信時にベアラ分割を行い、上りデータを基地局ＭｅＮＢと基地局ＳｅＮＢに分割して送信する。前述したように、ベアラ分割を行う際には、比率αを使用して、基地局ＭｅＮＢ向けのデータと、基地局ＳｅＮＢ向けのデータを振り分ける。以下では、ユーザ装置ＵＥが比率αを決定する例を第１の実施の形態として説明し、基地局ＭｅＮＢが比率αを決定し、ユーザ装置ＵＥに通知する例を第２の実施の形態として説明する。
【００２３】
（第１の実施の形態）
まず、第１の実施の形態を説明する。第１の実施の形態では、ユーザ装置ＵＥが所定のルールに従って比率αを決定する。図６を参照して第１の実施の形態の概要を説明する。図６に示すように、ユーザ装置ＵＥは、比率αの算出を行う機能部である比率算出部１０１と、比率αに従って１つのベアラ（通信路）のデータを２つ（ＭｅＮＢ向けとＳｅＮＢ向け）に振り分ける機能部であるデータ振り分け部１０２を含む。
【００２４】
第１の実施の形態では、無線品質とロード情報（負荷情報）に基づいて比率αを決定する例１−１と、ＵＬ送信レート（ＵＬ送信速度）に基づいて比率αを決定する例１−２と、例１−１及び例１−２を組み合わせた例１−３があり、以下、それぞれの例を説明する。なお、例１−１をオープンループ方式、例１−２をクローズドループ方式と呼ぶことができる。
【００２５】
以下に説明するように、本実施の形態における各例では、ＰＤＣＰエンティティが比率αの算出を行っているが、これは例に過ぎず、比率αの算出を、ユーザ装置ＵＥにおけるＰＤＣＰエンティティ以外の機能部が実行することとしてもよい。また、本実施の形態における各例では、ベアラのデータの分割をＰＤＣＰエンティティが行うこととしているが、ＰＤＣＰの前段（ＰＤＣＰよりも上位のレイヤ）で分割を行ってもよいし、ＰＤＣＰの後段（ＰＤＣＰよりも下位のレイヤ）で分割を行うこととしてもよい。
【００２６】
＜例１−１＞
図７を参照して例１−１の処理内容を説明する。図７は、ユーザ装置ＵＥにおける例１−１に係る処理を実行するＰＤＣＰエンティティを主に示す図である。ＰＤＣＰエンティティにおけるシーケンス番号付与、ヘッダ圧縮、秘匿、ＰＤＣＰヘッダ付与の各機能は既存の機能である。図７に示すスケジューラ１００が、比率決定及び振り分けを行う。すなわち、図７の例では、スケジューラ１００が、図６に示した比率算出部１０１とデータ振り分け部１０２を含む。この点は図９、図１１でも同様である。
【００２７】
図７に示すとおり、スケジューラ１００は、パスロスＰＬ１（ｔ）及びＰＬ２（ｔ）とトラフィックロード情報（以下、ロード情報）Ｌｏａｄ１（ｔ）及びＬｏａｄ２（ｔ）を受信し、これらの情報に基づいて比率αを算出し、データ振り分けを行う。図７の例では、時刻ｔにおける比率α（ｔ）に従って、データ６がキュー１に振り分けられていることが示される。図７の例において、キュー１は、基地局ＭｅＮＢ向けのＰＤＣＰデータのバッファに相当し、キュー２は、基地局ＳｅＮＢ向けのＰＤＣＰデータのバッファに相当する。ただし、本実施の形態において、振り分けられたデータを格納するバッファはどのレイヤのバッファであってもよい。
【００２８】
パスロスＰＬ１（ｔ）及びＰＬ２（ｔ）におけるＰＬ１（ｔ）は、基地局ＭｅＮＢとユーザ装置ＵＥ間の時刻ｔにおけるパスロスであり、ＰＬ２（ｔ）は、基地局ＳｅＮＢとユーザ装置ＵＥ間の時刻ｔにおけるパスロスである。各パスロスは、ユーザ装置ＵＥが基地局（ＭｅＮＢ、ＳｅＮＢ）からの受信信号等に基づき算出（推定）してもよいし、基地局（ＭｅＮＢ、ＳｅＮＢ）において算出（推定）されたパスロスをユーザ装置ＵＥが基地局ＭｅＮＢ等から受信して使用することとしてもよい。なお、パスロスは無線品質の例であり、無線品質としてパスロス以外の情報を取得して、比率αの算出に使用してもよい。パスロスを使用する他の例においても同様である。比率αの算出に使用するパスロス以外の無線品質の情報として、例えば、ＣＱＩ、ＲＳＲＰ、ＲＳＲＱ等がある。
【００２９】
ロード情報Ｌｏａｄ１（ｔ）及びＬｏａｄ２（ｔ）におけるＬｏａｄ１（ｔ）は、基地局ＭｅＮＢのロード（負荷）情報であり、Ｌｏａｄ２（ｔ）は、基地局ＳｅＮＢのロード情報である。各ロード情報は、基地局（ＭｅＮＢ、ＳｅＮＢ）が算出し、ユーザ装置ＵＥが当該基地局（ＭｅＮＢ、ＳｅＮＢ）から受信することとしてもよいし、ユーザ装置ＵＥが、各基地局から受信する信号の品質情報（ＲＳＲＱ等）に基づき算出（推定）することとしてもよい。例えば、Ｌｏａｄは、該当基地局ｅＮＢ（ＭＣＧ、ＳＣＧ）におけるアクティブＵＥ数が多いほど大きくなる。基地局におけるロード情報の算出方法は特に限定はないが、例えば第２の実施の形態で説明する方法を用いることができる。
【００３０】
時刻ｔにおける比率α（ｔ）は、ＰＬ１（ｔ）、ＰＬ２（ｔ）、Ｌｏａｄ１（ｔ）、Ｌｏａｄ２（ｔ）に基づき算出されるため、α（ｔ）＝ｆ（ＰＬ１（ｔ），  ＰＬ２（ｔ），  Ｌｏａｄ１（ｔ），  Ｌｏａｄ２（ｔ））と表すことができる。αを算出するための算出式の例を以下に示す。
【００３１】
【数１】
0006456926.tif 000002
上記の式における
【００３２】
【数２】
0006456926.tif 000003
は、スケジューリング因子（Ｓｃｈｅｄｕｌｉｎｇ  ｆａｃｔｏｒ）である。また、ＥＲは、推定レートであり、下記の式で算出される。
【００３３】
【数３】
0006456926.tif 000004
上記の式におけるｋｉは補償因子（Ｃｏｍｐｅｎｓａｔｉｎｇ  ｆａｃｔｏｒ）（所定の係数）である。
【００３４】
式１に示すように、ロードが小さく、パスロスが小さいほうの基地局の側への比率が大きくなる。なお、式１を用いて比率を算出することは一例に過ぎず、無線品質とロード情報を使用して、他の方法で比率を算出することとしてもよい。
【００３５】
前述したように、ロード情報はユーザ装置ＵＥが基地局（ＭｅＮＢ、ＳｅＮＢ）から受信してもよいし、ユーザ装置ＵＥが推定することとしてもよい。ユーザ装置ＵＥが基地局（ＭｅＮＢ、ＳｅＮＢ）からロード情報を受信する場合、Ｌｏａｄ１（ｔ）を基地局ＭｅＮＢから受信し、Ｌｏａｄ２（ｔ）を基地局ＳｅＮＢから受信することとしてもよいし、基地局ＭｅＮＢがＬｏａｄ２（ｔ）を基地局ＳｅＮＢから受信し、基地局ＭｅＮＢがＬｏａｄ１（ｔ）とＬｏａｄ２（ｔ）をユーザ装置ＵＥに通知することとしてもよい。また、基地局（ＭｅＮＢ、ＳｅＮＢ）からユーザ装置ＵＥへのロード情報の通知は、ＲＲＣ信号で行ってもよいし、ＭＡＣ信号で行ってもよいし、これら以外の信号で行ってもよい。
【００３６】
また、基地局ＭｅＮＢは、ロード情報の通知をＳｅＮＢ（ＳＣＧ）が追加されたことをトリガにして行うこととしてもよい。ＳＣＧを追加する場合、基地局ＭｅＮＢは、ユーザ装置ＵＥにＲＲＣ信号を送信するが、当該ＲＲＣ信号を用いてロード情報を通知することができる。
【００３７】
また、基地局ＭｅＮＢ又は基地局ＳｅＮＢにおけるロードが所定の閾値以上変化したことをトリガにして、基地局がロード情報をユーザ装置ＵＥに通知してもよい。例えば、基地局ＭｅＮＢにおける所定の閾値を３として、ある時点Ｔ１において基地局ＭｅＮＢのロード値が１０であり、時点Ｔ２においてロード値が１３になったとすると、閾値以上変化したから、Ｔ２の時点でＬｏａｄ１（ｔ）をユーザ装置ＵＥに通知する動作を行う。このトリガでＬｏａｄ１（ｔ）とＬｏａｄ２（ｔ）の両方を通知してもよい。
【００３８】
上記所定の閾値は、基地局ＭｅＮＢ用の閾値１と、基地局ＳｅＮＢ用の閾値２として、基地局間で別々に設定してもよいし、共通の閾値を用いてもよい。
【００３９】
なお、ロード情報がダイナミックに変化すると、基地局はロード情報を度々送信することとなり、通信のオーバーヘッドが大きくなる。そこで、禁止タイマ（ｐｒｏｈｉｂｉｔＴｉｍｅｒ）を設け、当該禁止タイマが起動していない場合にのみロード情報を通知してもよい。禁止タイマはロード情報を通知した時点で起動することとする。禁止タイマは、基地局間で共通でもよいし、基地局個別の値が設定されてもよい。
【００４０】
図８を参照して禁止タイマの動作例を説明する。基地局ｅＮＢ（ＭｅＮＢ又はＳｅＮＢ）においてロード情報通知のトリガが発生し、ロード情報をユーザ装置ＵＥに通知する（ステップ１０１）。このとき、禁止タイマが起動される。禁止タイマが起動中の時点Ａにおいて、ロード情報の通知のトリガが発生するが、禁止タイマが起動中であるため、ロード情報の通知を行わない。
【００４１】
禁止タイマが満了した後の時点Ｂにおいてトリガが発生した場合、禁止タイマが満了しているため、ロード情報の通知を行う（ステップ１０２）。また、この時点で禁止タイマを起動する。
【００４２】
＜例１−２＞
次に、図９を参照して例１−２を説明する。図９に示すように、例１−２では、ユーザ装置ＵＥが、基地局ＭｅＮＢ（ＭＣＧ）へのＵＬ送信レートＲ１（ｔ）と、基地局ＳｅＮＢ（ＳＣＧ）へのＵＬ送信レートＲ２（ｔ）を測定（取得）し、スケジューラ１００が、Ｒ１（ｔ）とＲ２（ｔ）を用いて比率α（ｔ）を算出する。
【００４３】
ここでは、例えば、データ送信開始時点（ｔ＝０）においてα（０）＝１／２とし、時刻ｔの経過につれてα（ｔ）＝ｆ（Ｒ１（ｔ），  Ｒ２（ｔ））としてα（ｔ）を算出する。
【００４４】
図９の例では、比率α算出に用いるＵＬ送信レートとして、ＰＤＣＰデータ（ＵＬ  ＰＤＣＰ  ＰＤＵ）の送信レートを用いているが、比率α算出に用いるＵＬ送信レートはＰＤＣＰデータの送信レート以外の送信レートであってもよい。例えば、ＵＬ送信レートは、ＵＬ  ＭＡＣ  ＰＤＵ送信レートでもよいし、ＵＬ  ＲＬＣ  ＰＤＵ送信レートでもよいし、他のデータの送信レートでもよい。また、ＭＡＣ  ＣＥ、ＲＬＣ  ｃｏｎｔｒｏｌ  ＰＤＵ、ＰＤＣＰ  ｃｏｎｔｒｏｌ  ＰＤＵ、ＭＡＣ再送、ＲＬＣ再送についてはレートの算出対象とされなくともよい。
【００４５】
送信レートの測定（算出）は、例えば定期的に行う。ただし、ＵＬ送信がないタイミングでは送信レートの測定を行わないこととしてもよい。つまり、ＵＬ送信がないタイミングではＲの値が更新されなくともよい。
【００４６】
また、送信レートは、ユーザ装置ＵＥが測定してもよいし、基地局（ＭｅＮＢ、ＳｅＮＢ）がＵＬデータの受信レート（ユーザ装置ＵＥから見た送信レートに相当）を測定し、測定した値をユーザ装置ＵＥに通知してもよい。基地局における受信レートの算出方法は、第２の実施の形態で説明する方法を用いることができる。
【００４７】
例１−２における比率αの算出式の例を以下に示す。
【００４８】
【数４】
0006456926.tif 000005
上記の式２において、Ｂ１（０）＝Ｂ２（０）＝０、Ｒ１（０）＝Ｒ２（０）＝０である。Ｂｊ（ｔ）は時刻ｔにおいてバッファｊに滞留しているデータ量である。Ｄ（ｔ）は時刻ｔにおける流入データ量である。Ｒｊ（ｔ）は、時刻ｔにおけるバッファｊのＵＬ送信レートである。Δｔは、制御周期（例：ＢＳＲ報告周期）である。ここで、バッファ１は、基地局ＭｅＮＢ向けのデータが格納されるバッファであり、バッファ２は、基地局ＳｅＮＢ向けのデータが格納されるバッファである。上記の式２は以下のようにして導出される。
【００４９】
時刻ｔにおけるバッファ１に滞留しているデータ量Ｂ１（ｔ）は、ｔ−Δｔの時点におけるバッファ滞留量（Ｂ１（ｔ−Δｔ））に、ｔ−Δｔからｔまでにバッファに流入したデータ量（α（ｔ）×Ｄ（ｔ））を加え、その間に送信されたデータ量（Ｒ１（ｔ）×Δｔ（バッファから読み出されたデータ量））を引いた値であるから、以下のようにして算出される。
【００５０】
Ｂ１（ｔ）＝Ｂ１（ｔ−Δｔ）＋α（ｔ）×Ｄ（ｔ）−Ｒ１（ｔ）×Δｔ
同様にして、Ｂ２（ｔ）は以下のようにして算出される。
【００５１】
Ｂ２（ｔ）＝Ｂ２（ｔ−Δｔ）＋［１−α（ｔ）］×Ｄ（ｔ）−Ｒ２（ｔ）×Δｔ
そして、本例では、Ｂ１（ｔ）＝Ｂ２（ｔ）をターゲットとして解くことにより、上記のようにα（ｔ）を求める式２が得られる。なお、Ｂ１（ｔ）＝Ｂ２（ｔ）をターゲットとすることは一例である。また、上記各式に対し、忘却係数が考慮されても良い。
【００５２】
次に、図１０を参照して、例１−２における、時間の経過に伴うαの変化例を説明する。なお、図１０におけるキューは上述したバッファと同義と考えてよい。
【００５３】
図１０（ａ）に示すように、ｔ＝０の時点では初期値α（０）＝１／２であり、また、キュー１とキュー２に同量のデータが格納されている。
【００５４】
図１０（ｂ）に示すように、ｔ＝１ｍｓの時点において、α（１）＝ｆ（Ｒ１（１），  Ｒ２（１））＝１／４となる。この時点でキュー２が空（ｅｍｐｔｙ）である。α（１）＝１／４であるから、この時点で発生した４つのデータのうちの１つがキュー１に格納され、３つがキュー２に格納される。このような状態遷移を経て、図１０（ｃ）に示すように、例えばｔ＝２００ｍｓにおいてαが適正な値となる。
【００５５】
＜例１−３＞
次に、例１−３について説明する。例１−３は、例１−１（オープンループ方式）と例１−２（クローズドループ方式）を組み合わせた方式である。すなわち、図１１に示すように、例１−３では、スケジューラ１００は、パスロス（ＰＬ１（０）、ＰＬ２（０））、ロード情報（Ｌｏａｄ１（０）、Ｌｏａｄ２（０））、ＵＬ送信レート（Ｒ１（ｔ）、Ｒ２（ｔ））から比率αを算出する。パスロス、ロード情報、及びＵＬ送信レートの取得方法はこれまでに説明したとおりである。
【００５６】
本例では、時刻０の比率αを算出する際に、α（０）＝ｆ（ＰＬ１（０），  ＰＬ２（０），  Ｌｏａｄ１（０），  Ｌｏａｄ２（０））のように、パスロスとロード情報を使用し、時刻０以降の比率αを算出する際に、α（ｔ）＝ｆ（α（ｔ−１），  Ｒ１（ｔ），  Ｒ２（ｔ））のように、ＵＬ送信レートを使用する。ただし、このようにしてαを算出することは一例である。
【００５７】
例１−３におけるα（０）は以下の式により算出する。
【００５８】
【数５】
0006456926.tif 000006
上記の式３は、例１−１における算出式においてｔ＝０とした式である。また、α（ｔ）は以下の式により算出する。
【００５９】
【数６】
0006456926.tif 000007
上記の式４においてｐ、ｑは忘却係数である。上記の式では、Ｒ１（ｔ）がＲ２（ｔ）以上であれば、αを増加させる。すなわち、基地局ＭｅＮＢへ振り分けるデータ量の割合を増加させる。Ｒ１（ｔ）がＲ２（ｔ）より小さければ、αを減少させる。すなわち、基地局ＳｅＮＢへ振り分けるデータ量の割合を増加させる。
【００６０】
次に、図１２を参照して、例１−３において、時間の経過に伴うαの変化例を説明する。
【００６１】
図１２（ａ）に示すように、ｔ＝０の時点で、スケジューラ１００は、ＰＬ１（０）、Ｌｏａｄ１（０）、ＰＬ２（０）、Ｌｏａｄ２（０）に基づいて、α（０）＝ｆ（ＰＬ１（０），  Ｌｏａｄ１（０），  ＰＬ２（０），  Ｌｏａｄ２（０））＝２／５としてα（０）を算出する。
【００６２】
図１２（ｂ）に示すように、ｔ＝１ｍｓの時点において、α（１）＝ｆ（α（０），  Ｒ１（１），  Ｒ２（１））＝１／４となる。このような状態遷移を経て、図１２（ｃ）に示すように、例えばｔ＝１００ｍｓにおいてαが安定した値となる。
【００６３】
（第２の実施の形態）
次に、第２の実施の形態を説明する。前述したように、第２の実施の形態では、基地局（ＭｅＮＢ又はＳｅＮＢ）が比率αを算出し、算出した比率αをユーザ装置ＵＥに通知し、ユーザ装置ＵＥは、受信した比率αに従ってデータの振り分けを行う。比率αは基地局ＭｅＮＢと基地局ＳｅＮＢのうちのどちらで算出してもよいが、以下の例では、基地局ＭｅＮＢが算出する例を説明する。
【００６４】
第２の実施の形態における比率αの算出方法自体は第１の実施の形態における算出方法と同じである。以下で説明する例２−１、例２−２、例２−３はそれぞれ例１−１、例１−２、例１−３に対応する。
【００６５】
＜例２−１＞
図１３を参照して例２−１の処理内容を説明する。図１３に示すように、基地局ＭｅＮＢは、比率αを算出し、算出した比率αをユーザ装置ＵＥに送信する機能部としてのスケジューラ２００を備える。
【００６６】
例２−１では、基地局ＭｅＮＢは、ＰＬ１（ｔ）、ＰＬ２（ｔ）、Ｌｏａｄ１（ｔ）及びＬｏａｄ２（ｔ）を取得し、これらに基づき、例１−１において説明した算出式を用いて比率αを算出する。
【００６７】
比率αの算出に使用するパラメータのうち、ＰＬ１（ｔ）とＬｏａｄ１（ｔ）については、基地局ＭｅＮＢは自身が算出（推定）した値を使用することができる。ＰＬ２（ｔ）とＬｏａｄ２（ｔ）については、例えば、基地局ＳｅＮＢが算出し、Ｘ２インターフェースにより基地局ＭｅＮＢに送信する。なお、Ｘ２インターフェースにより送信する情報としては、ＰＬ２（ｔ）やＬｏａｄ２（ｔ）そのものであってもよいし、これらを算出するために使用する情報であってもよい。当該情報は、例えば、パスロスを算出するための送信電力情報（例：ＰＨＲ）、ロード情報を算出するための接続ＵＥ数（詳細は後述）等である。
【００６８】
これは一例であり、パスロスに関し、基地局ＭｅＮＢは、ユーザ装置ＵＥからＭＣＧに関する送信電力情報（例：ＰＨＲ）とＳＣＧに関する送信電力情報を受信し、受信した送信電力情報を用いて、ＰＬ１（ｔ）とＰＬ２（ｔ）を算出することとしてもよい。
【００６９】
また、ロード情報に関しては、基地局ＭｅＮＢは、ユーザ装置ＵＥからＭＣＧに関する品質情報（例：ＲＳＲＱ）と、ＳＣＧに関する品質情報を受信し、受信した品質情報を用いてＬｏａｄ１（ｔ）とＬｏａｄ２（ｔ）を算出（推定）してもよい。
【００７０】
また、基地局ＭｅＮＢと基地局ＳｅＮＢは、それぞれ、ＲＲＣ  ｃｏｎｎｅｃｔｅｄ  ＵＥ数、スケジューリングＵＥ数、ＤＲＸ  ＵＥ比率、個別リソース使用率、基地局におけるＣＰＵ使用率、ＰＤＳＣＨ／ＰＵＳＣＨ／ＰＵＣＣＨ使用率、ＤＬ  ｂｕｆｆｅｒ滞留量のいずれか１つ又は複数を使用してロード情報を算出することができる。
【００７１】
＜例２−２＞
図１４を参照して例２−２の処理内容を説明する。例２−２では、基地局ＭｅＮＢのスケジューラ２００は、Ｒ１（ｔ）とＲ２（ｔ）を取得し、例１−２で説明した算出式を用い比率αを算出する。
【００７２】
比率αの算出に使用するパラメータのうち、Ｒ１（ｔ）については、基地局ＭｅＮＢは自身が算出（推定）した値を使用することができる。Ｒ２（ｔ）については、例えば、基地局ＳｅＮＢが算出し、Ｘ２インターフェースにより基地局ＭｅＮＢに送信する。
【００７３】
例２−２では、基地局ＭｅＮＢ（ＳｅＮＢも同様）は、ユーザ装置ＵＥにおけるＵＬ送信レートを、ＵＬ受信レートとして算出する。ＵＬ受信レートとしては、ＵＬ  ＭＡＣ  ＳＤＵ受信レート、ＵＬ  ＲＬＣ  ＳＤＵ受信レート、ＵＬ  ＰＤＣＰ  ＳＤＵ受信レートのいずれでもよい。また、特定のベアラのレート（例：ｂｅａｒｅｒ  ｓｐｌｉｔが設定されているベアラ）のみを算出対象としてもよい。
【００７４】
＜例２−３＞
図１５を参照して例２−３の処理内容を説明する。例２−３は、例２−１と例２−２を組み合わせた方式である。例２−３では、基地局ＭｅＮＢのスケジューラ２００が、例１−３で説明した算出式を用いて、パスロス（ＰＬ１（０）、ＰＬ２（０））、ロード情報（Ｌｏａｄ１（０）、Ｌｏａｄ２（０））、ＵＬ送信レート（Ｒ１（ｔ）、Ｒ２（ｔ））から比率αを算出する。
【００７５】
（装置構成、フローチャート）
図１６に、第１の実施の形態に対応するユーザ装置ＵＥの機能構成図を示す。図１６に示すように、本実施の形態のユーザ装置ＵＥは、ＤＬ信号受信部３０１、ＵＬ信号送信部３０２、ロード情報取得部３０３、無線品質取得部３０４、送信レート取得部３０５、ＵＬ滞留データ管理部３０６、比率算出部３０７を有する。
【００７６】
ＤＬ信号受信部３０１は、基地局（ＭｅＮＢ、ＳｅＮＢ）から無線信号を受信し、無線信号から情報を抽出する。ＵＬ信号送信部３０２は、送信情報から無線信号を生成し、基地局（ＭｅＮＢ、ＳｅＮＢ）に送信する。また、ＵＬ信号送信部３０２は、ＵＬデータのバッファ１とバッファ２を備える。
【００７７】
ロード情報取得部３０３は、信号測定もしくは、基地局からの情報受信等により、ロード情報（例：Ｌｏａｄ１（ｔ）、Ｌｏａｄ２（ｔ））を取得する。無線品質取得部３０４は、信号測定もしくは、基地局からの情報受信等により、無線品質（例：ＰＬ１（０）、ＰＬ２（０））を取得する。
【００７８】
送信レート取得部３０５は、送信データのレート測定もしくは基地局からの情報受信等により、送信レート（Ｒ１（ｔ）、Ｒ２（ｔ））を取得する。ＵＬ滞留データ管理部３０６は、比率算出部３０７により算出された比率αに従って、送信データをバッファに振り分ける機能を含む。比率算出部３０７は、例１−１〜１−３において説明した方法により比率αを算出する。
【００７９】
図１７に、第１の実施の形態に対応するユーザ装置ＵＥの動作のフローチャートを示す。ユーザ装置ＵＥは、例１−１〜１−３において説明したように、無線品質、ロード情報、送信レート等のパラメータを取得する（ステップ２０１）。ユーザ装置ＵＥは、ステップ２０１で取得したパラメータを使用して比率αを算出し（ステップ２０２）、当該比率αに基づいて、ベアラ分割対象の上りデータをバッファ１とバッファ２に振り分ける（ステップ２０３）。そして、ユーザ装置ＵＥは、例えば、バッファ量の報告に基づく基地局（ＭｅＮＢ、ＳｅＮＢ）からのリソース割り当てに従って、振り分けられたデータを基地局（ＭｅＮＢ、ＳｅＮＢ）に送信する（ステップ２０４）。
【００８０】
図１８に、第２の実施の形態に対応する基地局ＭｅＮＢの機能構成図を示す。なお、基地局ＳｅＮＢにおいて比率αの算出を行う場合は、基地局ＳｅＮＢは図１８に示す構成と同様の構成を備える。
【００８１】
図１８に示すように、本実施の形態の基地局ＭｅＮＢは、ＤＬ信号送信部４０１、ＵＬ信号受信部４０２、ロード情報取得部４０３、無線品質取得部４０４、送信レート取得部４０５、ＤＬ滞留データ管理部４０６、比率算出部４０７、比率通知部４０８、基地局間通信部４０９、スケジューリング部４１０を有する。
【００８２】
ＤＬ信号送信部４０１は、送信情報から無線信号を生成し、ユーザ装置ＵＥに送信する。ＵＬ信号受信部４０２は、ユーザ装置ＵＥから無線信号を受信し、無線信号から情報を抽出する。ＤＬ信号送信部４０１は、ユーザ装置ＵＥに送信するデータを一時的に格納するバッファを備える。
【００８３】
ロード情報取得部４０３は、信号測定、スケジューリング情報等からの算出、基地局ＳｅＮＢからの情報受信等により、ロード情報（例：Ｌｏａｄ１（ｔ）、Ｌｏａｄ２（ｔ））を取得する。無線品質取得部４０４は、信号測定、基地局ＳｅＮＢからの情報受信等により、無線品質（例：ＰＬ１（０）、ＰＬ２（０））を取得する。
【００８４】
送信レート取得部４０５は、受信データのレート測定、基地局ＳｅＮＢからの情報受信等により、送信レート（Ｒ１（ｔ）、Ｒ２（ｔ））を取得する。ＤＬ滞留データ管理部４０６は、ＤＬバッファの滞留量を取得する。当該滞留量はロード情報の算出に用いることができる。比率算出部４０７は、例２−１〜２−３（つまり、例１−１〜１−３）において説明した方法により比率αを算出する。比率通知部４０８は、比率算出部４０７により算出した比率αをユーザ装置ＵＥに送信するための制御を行う。
【００８５】
基地局間通信部４０９は、基地局ＳｅＮＢとの間でデータ通信を行う。スケジューリング部４１０は、ユーザ装置ＵＥへの無線リソース割り当て等のスケジューリングを行う。スケジューリングにより得られたリソース割り当て情報等は、ロード情報の算出に使用することができる。
【００８６】
図１９に、第２の実施の形態に対応する基地局ＭｅＮＢの動作のフローチャートを示す。基地局ＭｅＮＢは、例２−１〜２−３において説明したように、無線品質、ロード情報、送信レート等のパラメータを取得する（ステップ３０１）。基地局ＭｅＮＢは、ステップ３０１で取得したパラメータを使用して比率αを算出し（ステップ３０２）、当該比率αをユーザ装置ＵＥに通知する（ステップ３０３）。
【００８７】
以上、説明したように、本発明の実施の形態において、基地局間キャリアアグリゲーションによりユーザ装置と通信を行う第１の基地局及び第２の基地局を備える移動通信システムにおける前記ユーザ装置であって、前記ユーザ装置と前記第１の基地局との間の第１の無線品質と、前記ユーザ装置と前記第２の基地局との間の第２の無線品質とを取得する無線品質取得部と、前記第１の基地局における負荷情報である第１の負荷情報と、前記第２の基地局における負荷情報である第２の負荷情報とを取得する負荷情報取得部と、前記無線品質取得部により取得された前記第１及び第２の無線品質と、前記負荷情報取得部により取得された前記第１及び第２の負荷情報とを用いて、前記ユーザ装置が、上りデータを前記第１の基地局と前記第２の基地局に分割して送信するために使用する分割比率を算出する比率算出部とを備えるユーザ装置が提供される。
【００８８】
また、本実施の形態において、基地局間キャリアアグリゲーションによりユーザ装置と通信を行う第１の基地局及び第２の基地局を備える移動通信システムにおける前記ユーザ装置であって、前記ユーザ装置から前記第１の基地局へのデータ送信のレートである第１の送信レートと、前記ユーザ装置から前記第２の基地局へのデータ送信のレートである第２の送信レートとを取得する送信レート取得部と、前記送信レート取得部により取得された前記第１及び第２の送信レートを用いて、前記ユーザ装置が、上りデータを前記第１の基地局と前記第２の基地局に分割して送信するために使用する分割比率を算出する比率算出部とを備えるユーザ装置が提供される。
【００８９】
上記のようにユーザ装置を構成したことにより、ユーザ装置は、上りデータを第１の基地局と第２の基地局に分割して送信するために使用する分割比率を適切に算出することが可能となる。その結果、ＵＬスループットの向上を図ることができる。なお、本実施の形態において、ユーザ装置が同時に通信を行う基地局の数は２に限られない。基地局の数が３以上であっても、その中の任意の２つの基地局に関して上述したように分割比率を算出することが可能であり、結果として、全ての基地局についての比率を算出することが可能である。
【００９０】
上記のユーザ装置は、前記ユーザ装置と前記第１の基地局との間の第１の無線品質と、前記ユーザ装置と前記第２の基地局との間の第２の無線品質とを取得する無線品質取得部と、前記第１の基地局における負荷情報である第１の負荷情報と、前記第２の基地局における負荷情報である第２の負荷情報とを取得する負荷情報取得部と、を更に備え、前記比率算出部は、前記無線品質取得部により取得された前記第１及び第２の無線品質と、前記負荷情報取得部により取得された前記第１及び第２の負荷情報と、前記送信レート取得部により取得された前記第１及び第２の送信レートを用いて、前記分割比率を算出するようにしてもよい。この構成では、より多くのパラメータを使用するため、より的確に分割比率を算出できる。
【００９１】
また、本実施の形態において、基地局間キャリアアグリゲーションによりユーザ装置と通信を行う第１の基地局及び第２の基地局を備える移動通信システムにおける前記第１の基地局に対応する基地局であって、前記ユーザ装置と前記第１の基地局との間の第１の無線品質と、前記ユーザ装置と前記第２の基地局との間の第２の無線品質とを取得する無線品質取得部と、前記第１の基地局における負荷情報である第１の負荷情報と、前記第２の基地局における負荷情報である第２の負荷情報とを取得する負荷情報取得部と、前記無線品質取得部により取得された前記第１及び第２の無線品質と、前記負荷情報取得部により取得された前記第１及び第２の負荷情報とを用いて、前記ユーザ装置が、上りデータを前記第１の基地局と前記第２の基地局に分割して送信するために使用する分割比率を算出する比率算出部と、前記比率算出部により算出した前記分割比率を前記ユーザ装置に送信する送信部とを備える基地局が提供される。
【００９２】
また、本実施の形態において、基地局間キャリアアグリゲーションによりユーザ装置と通信を行う第１の基地局及び第２の基地局を備える移動通信システムにおける前記第１の基地局に対応する基地局であって、前記ユーザ装置から前記第１の基地局へのデータ送信のレートである第１の送信レートと、前記ユーザ装置から前記第２の基地局へのデータ送信のレートである第２の送信レートとを取得する送信レート取得部と、前記送信レート取得部により取得された前記第１及び第２の送信レートを用いて、前記ユーザ装置が、上りデータを前記第１の基地局と前記第２の基地局に分割して送信するために使用する分割比率を算出する比率算出部と、前記比率算出部により算出した前記分割比率を前記ユーザ装置に送信する送信部とを備える基地局が提供される。
【００９３】
上記のように基地局を構成したことにより、基地局は、ユーザ装置が上りデータを第１の基地局と第２の基地局に分割して送信するために使用する分割比率を適切に算出することが可能となる。
【００９４】
上記の基地局は、前記ユーザ装置と前記第１の基地局との間の第１の無線品質と、前記ユーザ装置と前記第２の基地局との間の第２の無線品質とを取得する無線品質取得部と、前記第１の基地局における負荷情報である第１の負荷情報と、前記第２の基地局における負荷情報である第２の負荷情報とを取得する負荷情報取得部と、を更に備え、前記比率算出部は、前記無線品質取得部により取得された前記第１及び第２の無線品質と、前記負荷情報取得部により取得された前記第１及び第２の負荷情報と、前記送信レート取得部により取得された前記第１及び第２の送信レートを用いて、前記分割比率を算出するようにしてもよい。この構成では、より多くのパラメータを使用するため、より的確に分割比率を算出できる。
【００９５】
また、本実施の形態において、基地局間キャリアアグリゲーションによりユーザ装置と通信を行う第１の基地局及び第２の基地局を備える移動通信システムにおける前記ユーザ装置が実行する上りデータ分割比率算出方法であって、前記ユーザ装置と前記第１の基地局との間の第１の無線品質と、前記ユーザ装置と前記第２の基地局との間の第２の無線品質とを取得する無線品質取得ステップと、前記第１の基地局における負荷情報である第１の負荷情報と、前記第２の基地局における負荷情報である第２の負荷情報とを取得する負荷情報取得ステップと、前記無線品質取得ステップにより取得された前記第１及び第２の無線品質と、前記負荷情報取得ステップにより取得された前記第１及び第２の負荷情報とを用いて、前記ユーザ装置が、上りデータを前記第１の基地局と前記第２の基地局に分割して送信するために使用する分割比率を算出する比率算出ステップとを備える上りデータ分割比率算出方法が提供される。
【００９６】
また、本実施の形態において、基地局間キャリアアグリゲーションによりユーザ装置と通信を行う第１の基地局及び第２の基地局を備える移動通信システムにおける前記ユーザ装置が実行する上りデータ分割比率算出方法であって、前記ユーザ装置から前記第１の基地局へのデータ送信のレートである第１の送信レートと、前記ユーザ装置から前記第２の基地局へのデータ送信のレートである第２の送信レートとを取得する送信レート取得ステップと、前記送信レート取得ステップにより取得された前記第１及び第２の送信レートを用いて、前記ユーザ装置が、上りデータを前記第１の基地局と前記第２の基地局に分割して送信するために使用する分割比率を算出する比率算出ステップとを備える上りデータ分割比率算出方法が提供される。
【００９７】
また、本実施の形態において、基地局間キャリアアグリゲーションによりユーザ装置と通信を行う第１の基地局及び第２の基地局を備える移動通信システムにおける前記第１の基地局に対応する基地局が実行する上りデータ分割比率提供方法であって、前記ユーザ装置と前記第１の基地局との間の第１の無線品質と、前記ユーザ装置と前記第２の基地局との間の第２の無線品質とを取得する無線品質取得ステップと、前記第１の基地局における負荷情報である第１の負荷情報と、前記第２の基地局における負荷情報である第２の負荷情報とを取得する負荷情報取得ステップと、前記無線品質取得ステップにより取得された前記第１及び第２の無線品質と、前記負荷情報取得ステップにより取得された前記第１及び第２の負荷情報とを用いて、前記ユーザ装置が、上りデータを前記第１の基地局と前記第２の基地局に分割して送信するために使用する分割比率を算出する比率算出ステップと、前記比率算出ステップにより算出した前記分割比率を前記ユーザ装置に送信する送信ステップとを備える上りデータ分割比率提供方法が提供される。
【００９８】
また、本実施の形態において、基地局間キャリアアグリゲーションによりユーザ装置と通信を行う第１の基地局及び第２の基地局を備える移動通信システムにおける前記第１の基地局に対応する基地局が実行する上りデータ分割比率提供方法であって、前記ユーザ装置から前記第１の基地局へのデータ送信のレートである第１の送信レートと、前記ユーザ装置から前記第２の基地局へのデータ送信のレートである第２の送信レートとを取得する送信レート取得ステップと、前記送信レート取得ステップにより取得された前記第１及び第２の送信レートを用いて、前記ユーザ装置が、上りデータを前記第１の基地局と前記第２の基地局に分割して送信するために使用する分割比率を算出する比率算出ステップと、前記比率算出ステップにより算出した前記分割比率を前記ユーザ装置に送信する送信すステップとを備える上りデータ分割比率提供方法が提供される。
【００９９】
上記の各方法により、ユーザ装置が上りデータを第１の基地局と第２の基地局に分割して送信するために使用する分割比率を適切に算出することが可能となる。
【０１００】
本実施の形態で説明したユーザ装置は、ＣＰＵとメモリを備え、プログラムがＣＰＵ（プロセッサ）により実行されることで実現される構成であってもよいし、本実施の形態で説明する処理のロジックを備えたハードウェア回路等のハードウェアで実現される構成であってもよいし、プログラムとハードウェアが混在した構成であってもよい。
【０１０１】
本実施の形態で説明した基地局は、ＣＰＵとメモリを備え、プログラムがＣＰＵ（プロセッサ）により実行されることで実現される構成であってもよいし、本実施の形態で説明する処理のロジックを備えたハードウェア回路等のハードウェアで実現される構成であってもよいし、プログラムとハードウェアが混在した構成であってもよい。
【０１０２】
以上、本発明の各実施の形態を説明してきたが、開示される発明はそのような実施形態に限定されず、当業者は様々な変形例、修正例、代替例、置換例等を理解するであろう。発明の理解を促すため具体的な数値例を用いて説明がなされたが、特に断りのない限り、それらの数値は単なる一例に過ぎず適切な如何なる値が使用されてもよい。上記の説明における項目の区分けは本発明に本質的ではなく、２以上の項目に記載された事項が必要に応じて組み合わせて使用されてよいし、ある項目に記載された事項が、別の項目に記載された事項に（矛盾しない限り）適用されてよい。機能ブロック図における機能部又は処理部の境界は必ずしも物理的な部品の境界に対応するとは限らない。複数の機能部の動作が物理的には１つの部品で行われてもよいし、あるいは１つの機能部の動作が物理的には複数の部品により行われてもよい。説明の便宜上、ユーザ装置、基地局は機能的なブロック図を用いて説明されたが、そのような各装置はハードウェアで、ソフトウェアで又はそれらの組み合わせで実現されてもよい。ユーザ装置のプロセッサにより動作するソフトウェア、基地局のプロセッサにより動作するソフトウェアは、ランダムアクセスメモリ（ＲＡＭ）、フラッシュメモリ、読み取り専用メモリ（ＲＯＭ）、ＥＰＲＯＭ、ＥＥＰＲＯＭ、レジスタ、ハードディスク（ＨＤＤ）、リムーバブルディスク、ＣＤ−ＲＯＭ、データベース、サーバその他の適切な如何なる記憶媒体に保存されてもよい。本発明は上記実施形態に限定されず、本発明の精神から逸脱することなく、様々な変形例、修正例、代替例、置換例等が本発明に包含される。
【０１０３】
本国際特許出願は２０１４年４月１８日に出願した日本国特許出願第２０１４−０８６７２８号に基づきその優先権を主張するものであり、日本国特許出願第２０１４−０８６７２８号の全内容を本願に援用する。
【符号の説明】
【０１０４】
ＭｅＮＢ、ＳｅＮＢ  基地局
１００、２００  スケジューラ
３０１  ＤＬ信号受信部
３０２  ＵＬ信号送信部
３０３  ロード情報取得部
３０４  無線品質取得部
３０５  送信レート取得部
３０６  ＵＬ滞留データ管理部
３０７  比率算出部
４０１  ＤＬ信号送信部
４０２  ＵＬ信号受信部
４０３  ロード情報取得部
４０４  無線品質取得部
４０５  送信レート取得部
４０６  ＤＬ滞留データ管理部
４０７  比率算出部
４０８  比率通知部
４０９  基地局間通信部
４１０  スケジューリング部
【図１】
0006456926.tif 000008
【図２】
0006456926.tif 000009
【図３】
0006456926.tif 000010
【図４】
0006456926.tif 000011
【図５】
0006456926.tif 000012
【図６】
0006456926.tif 000013
【図７】
0006456926.tif 000014
【図８】
0006456926.tif 000015
【図９】
0006456926.tif 000016
【図１０】
0006456926.tif 000017
【図１１】
0006456926.tif 000018
【図１２】
0006456926.tif 000019
【図１３】
0006456926.tif 000020
【図１４】
0006456926.tif 000021
【図１５】
0006456926.tif 000022
【図１６】
0006456926.tif 000023
【図１７】
0006456926.tif 000024
【図１８】
0006456926.tif 000025
【図１９】
0006456926.tif 000026